(57)【要約】【課題】繰り返し利用した場合でもパッキンが外れる恐れが少ない部材間の密着構造を提供する。【解決手段】突出量が異なる２つのスカート部１１、１２が嵌合相手の嵌合面と嵌合して２重の防水ラインの密封構造を得る。部材間嵌合時または取外し時のパッキン１のケース内面との摩擦に起因するパッキン自体の回転を阻止してパッキンの外れを防止する。パッキン１自体の回転は、パッキン１が保持される凹部２１内に更に深い凹部２２を形成し、この凹部形状２１、２２に適合したパッキンを形成することにより更に阻止する。【選択図】      図１
2004197882.tif 000002
【特許請求の範囲】
【請求項１】
第１と第２の部材の少なくとも一方の周方向に形成された凹部に配設されたパッキングを介して前記第１と第２の部材が密着嵌合される部材間の密着構造において、
前記凹部に配設されるパッキングは、径方向長さが異なり、離隔配設された少なくとも２つのスカート部を有することを特徴とする部材間の密着構造。
【請求項２】
前記パッキングが配設された凹部は、第１の凹部と該第１の凹部より深い位置にある第２の凹部を有し、前記パッキングは前記第１と第２の凹部に適合する形状を有することを特徴とする請求項１に記載の部材間の密着構造。
【請求項３】
前記第１と第２のスカート部は、両部材の嵌合時、対向する部材の内面に当接されることを特徴とする請求項１または２に記載の部材間の密着構造。
【請求項４】
前記スカート部は２つであることを特徴とする請求項１乃至３のいずれかに記載の部材間の密着構造。
【発明の詳細な説明】
【発明の属する技術分野】
【０００１】
本発明は、密着構造に関し、例えば、防水性能に優れ、耐久性の高い部材間の密着構造に関する。
【０００２】
【従来の技術】
例えば、防水構造が必要な炊飯ジャー等ではケースとシャーシ間がパッキングを介して押圧嵌合される構造がコストや取り扱いの容易さから一般的に用いられている。
【０００３】
図３には、この種の部材間密着構造の基本的な構造が斜視図で示されている。図３において、ケース３００とシャーシ２００が嵌合されて密封構造を得ている。シャーシ２００の上部の外面周囲には凹部（パッキング溝）２１０が形成され、この凹部２１０に矩形断面または円形状断面等の弾性材料から成るパッキング１００が挿入、嵌合される。このとき、パッキング１００は、凹部２１０に密着して嵌合され、シャーシ２００の表面から若干突出するように構成されている。この突出部近傍は、スカート部と称され、ケース３００側内部と嵌合される。一方、ケース３００の上部には、シャーシ２００の側面から若干突出しているパッキング１００表面部が入り込む凹部３１０が形成されている。
【０００４】
パッキング１００は、シャーシ２００の凹部２１０に押圧嵌合された状態で、ケース３００の内部に押し込まれる。押し込まれた状態では、シャーシ２００とケース３００は比較的密接に嵌め合い嵌合され、更に、シャーシ２００の側面表面から若干突出しているパッキング１００が押圧されて、シャーシ２００とケース３００が密着嵌合され、防水機構が得られることになる。
【０００５】
図４（Ａ）には、シャーシ２００とケース１００が密着嵌合される直前におけるパッキング１００の近傍の側断面図が示されている。図４（Ａ）に示すように、シャーシ２００の下部２２０がケース３００の凹部３１０の内部に挿入される直前では、パッキング１００の表面がシャーシ２００の側面から若干突出している。更に、シャーシ２００をケース３００の内部に押し込むと、図４（Ｂ）に示すように、突出しているパッキング１００がケースの凹部３１０を経て内面に押圧されて密着状態となる。
【０００６】
かかる構成によれば、シャーシ２００とケース３００はパッキング１００を介して密着され、防水機能等を果たす密着構造が得られる。
【０００７】
【発明が解決しようとする課題】
上述した従来の部材間の密着構造は、簡単に防水性能をある程度満足する構造が得られるが、次のような問題点または課題を有する。
【０００８】
図５（Ａ）〜（Ｃ）には、従来の部材間の密着構造の問題点を説明するためのシャーシ２００とケース３００のパッキング１００を介しての嵌合部近傍の部分断面図が示されている。
【０００９】
図５（Ａ）には、シャーシ２００とケース３００がパッキング１００を介して密着嵌合されている断面図が示されている。このとき、パッキング１００のケース３００内部との接触面となるスカート部が、ケース３００の凹部３１０近傍と摩擦接触している。この状態から更にシャーシ２００をケース３００内に押し込むと、図５（Ｂ）に示すように、パッキング１００のケース３００内部との接触面となるスカート部が、ケース３００の凹部３１０表面近傍と摩擦接触して、パッキング１００が矢印Ａ方向に回転する、したがって、更にシャーシ２００を動かすと、図５（Ｃ）に示すようにパッキング１００がシャーシ２００の溝部から外れてしまう恐れがあった。この問題は、繰り返し使用した場合に顕著になる。
【００１０】
そこで、本発明の目的は、繰り返し利用した場合であってもパッキングが外れる恐れが少ない部材間の密着構造を提供することにある。
【００１１】
【課題を解決するための手段】
前述の課題を解決するため、本発明による部材間の密着構造は、次のような特徴的な構成を採用している。
【００１２】
（１）第１と第２の部材の少なくとも一方の周方向に形成された凹部に配設されたパッキングを介して前記第１と第２の部材が密着嵌合される部材間の密着構造において、
前記凹部に配設されるパッキングは、径方向長さが異なり、離隔配設された少なくとも２つのスカート部を有する部材間の密着構造。
【００１３】
（２）前記パッキングが配設された凹部は、第１の凹部と該第１の凹部より深い位置にある第２の凹部を有し、前記パッキングは前記第１と第２の凹部に適合する形状を有する上記（１）の部材間の密着構造。
【００１４】
（３）前記第１と第２のスカート部は、両部材の嵌合時、対向する部材の内面に当接される上記（１）または（２）のいずれかの部材間の密着構造。
【００１５】
（４）前記スカート部は２つである上記（１）乃至（３）のいずれかの部材間の密着構造。
【００１６】
【発明の実施の形態】
以下、本発明による部材間の密着構造の好適実施形態例を添付図、特に図１を参照して詳細に説明する。
【００１７】
図１は本発明の一実施形態による部材間の密着構造の構造を示す要部断面図である。
【００１８】
本発明による部材間の密着構造の重要な特徴はパッキング構造にある。パッキング１は、その断面が図示のように、第1のスカート部１１と第２のスカート部１２から成る２段構造を有する。パッキング１は、シャーシ２の凹部２１内に挿入、嵌合される。
【００１９】
第1のスカート部１１は、第２のスカート部１２よりも突出しており、シャーシ２のケ−ス３との嵌合時にケース３の内面と高押圧状態で接触し、一義的な防水性等の密封構造を果たしている。第２のスカート部１２は、第1のスカート部１１よりも若干突出程度は低く、シャーシ２とケース３との嵌合時に、ケース３内面と若干弱い押圧状態接触するように設定される。
【００２０】
したがって、シャーシ２とケース３との嵌合によりパッキング１の第1のスカート部１１と第２のスカート部１２は、ケース３の内面と２段階で押圧接触することになり、２重の防水ライン（密封構造）が得られることになる。
【００２１】
この第２のスカート部１２は、シャーシ２をケース３に嵌合させる際または取り外す際のパッキングのケース内面との摩擦に起因するパッキング自体の回転を、ケース３内面との接触、当接により阻止する機能を果たしている。
【００２２】
また、シャーシ２の凹部２１内には更に深い凹部２２が形成されており、パッキング１もシャーシ２の凹部２２に形状的に嵌合するようなリブ部１３を有する。パッキング１の第２のスカート部１２のケース３内面への当接によって、シャーシ２のケース３への嵌合、取外し方向の移動に伴って生ずるパッキング１の回転を更に阻止することができる。
【００２３】
図２は、第２のスカート部１２によるパッキングの回転阻止の様子を説明するための要部断面図である。シャーシ２の凹部２１には、パッキング１が密着して当接している。例えば、図２に示すように、シャーシ２が矢印Ｂ方向に更に深く押し下げられると、摩擦力によりパッキング１は矢印Ｃ方向に回転しようとするが、第２のスカート部１２がケース３の内面部に当接してパッキング１の矢印Ｄ方向の回転による力を受け止めて回転を阻止する。また、その際、パッキング１のリブ部１３もシャーシ２の凹部２１の部位２１Ａ、２１Ｂに当接して、パッキング１の回転による力Ｃを受け止めて回転を阻止する。これら２つの相互作用により、シャーシ２とケース３間の相互移動による摩擦に起因するパッキング１の回転を受け止めて阻止することができる。
【００２４】
パッキング１の第１のスカート部１１と第２のスカート部１２のケース３内壁（内面）とのオーバーラップ量は、それぞれ０．４ｍｍと０．１ｍｍ程度に設定すると好適であることを実験的に確認した。
【００２５】
以上、本発明による部材間の密着構造の好適実施形態例を説明したが、これは単なる例示にすぎず、特定用途に応じて種々の変形変更が可能であること勿論である。
【００２６】
【発明の効果】
上述の如く、本発明の部材間の密着構造によれば以下のような顕著な効果が得られる。すなわち、本発明では、突出量が異なる２つのスカート部が嵌合相手の嵌合面と嵌合して２重の防水ラインの密封構造を得ると共に、部材間嵌合時または取外し時のパッキングのケース内面との摩擦に起因するパッキング自体の回転を阻止してパッキングの外れを防止できる。このパッキング自体の回転は、また、パッキングが保持される凹部内に更に深い凹部を形成し、この凹部形状に適合したパッキングを形成することにより更に効率的に阻止される。
【図面の簡単な説明】
【図１】本発明の一実施形態による部材間の密着構造の構造を示す要部断面図である。
【図２】図１に示す本発明の実施形態における第２のスカート部１２によるパッキングの回転阻止の様子を説明するための要部断面図である。
【図３】従来の部材間の密着構造の基本的構造を示す斜視図である。
【図４】従来の部材間の密着構造におけるシャーシ２００とケース１００が密着嵌合される直前におけるパッキング１００の近傍の側断面図である。
【図５】従来の部材間の密着構造の問題点を説明するためのシャーシ２００とケース３００のパッキング１００を介しての嵌合部近傍を示す部分断面図である。
【符号の説明】
１      パッキング
２      シャーシ
３      ケース
１１    第1のスカート部
１２    第２のスカート部
２１、２２    凹部
２１Ａ、２１Ｂ  凹部２１の部位
３００    ケース
３１０    ケース３００の内面部
【図１】
2004197882.tif 000003
【図２】
2004197882.tif 000004
【図３】
2004197882.tif 000005
【図４】
2004197882.tif 000006
【図５】
2004197882.tif 000007